(57)【特許請求の範囲】
【請求項１】
導体棒（２）を中空導体（３）の中に挿入し、電気的接続部（４）に互いに固定し、構成したことを特徴とする中空導体折り返しアンテナにおいて、そのアンテナ基部に外部端子（１０１）と（１０２）を設け、導体コイル（５）を（１０１）に電気的に接続し、導体棒（２）を（１０２）に電気的に接続をし、構成したことを特徴とする中空導体折り返しヘリカルアンテナ
【発明の詳細な説明】
【技術分野】
【０００１】
本発明は中空導体と導体棒および、導体コイルを組み合わせ、新たな改良発明や関連発明を生み出すための中空導体折り返しアンテナに関するものである。
【背景技術】
【０００２】
従来の折り返しアンテナは、２本の導体棒を並列に接近して、外側の左右の先端部を電気的に接続し、導体棒の一つを中央で給電、また、導体棒に導体コイルを取り付けたものがある（例えば、特許文献１を参照。）そして、導体棒の一部を折り返した、アンテナがある（例えば、特許文献２を参照。）また、誘電体で絶縁された、一対の同軸ケイブルの外部導体および内部導体を、それぞれ折り返したアンテナがある（例えば、特許文献３参照。）以下、３例である。
【特許文献１】特開平２００５−１３０１１７号広報
【特許文献２】特開平２００６−３３０６８号広報
【特許文献３】実開昭６２−２４５１０号広報
【発明の開示】
【発明が解決しようとする課題】
【０００３】
これは、次のような問題があった。従来のアンテナは、導体棒、平行２線形給電線、同軸形給電線等の組み合わせが一般的であり、特に送信時に電波の抵抗を受け給電インピ−ダンスガ低下し効率的に、アンテナより電波を放射することに問題があった。
【課題を解決するための手段】
【０００４】
本発明は、導体棒（２）を中空導体（３）の中に挿入し、電気的接続部（４）に互いに固定し、構成したことを特徴とする中空導体折り返しアンテナにおいて、そのアンテナ基部に外部端子（１０１）と（１０２）を設け、導体コイル（５）を（１０１）に電気的に接続し、導体棒（２）を（１０２）に電気的に接続をし、構成したことを特徴とする中空導体折り返しヘリカルアンテナである。
【発明の効果】
【０００５】
本発明の中空導体折り返しヘリカルアンテナ（図６）において、アンテナ基部に外部端子（１０１）と（１０２）を設け、インピイダンスの値を調整することが可能となり、給電点の近接の外部端子に導体コイル（５）と導体棒（２）を電気的に接続することにより、波長の長いアンテナを給電ンピイダンスが低下せずに、効率的に短縮が可能となり、従来のダイポ−ルアンテナにない導体コイル（５）が無指向性の効果を発揮し、東西南北の受信が可能となり、近距離、遠距離の通信に優れた効果を発揮し、無指向性特性、指向性特性、送受信特性が向上し、アンテナの小型化を可能にした。
【発明を実施するための最良の形態】
【０００６】
以下、図面に基づいて説明をする。図２においては、給電点（１）に接続している導体棒（２）の先端部にボルトが取り付けてあり、導体棒（２）を挿入する側の中空導体（３）底にボルトが通る穴が開いており、導体棒（２）を挿入したさいに、ボルトを外側より、ナットで電気的接続部に（４）に互いに固定している。
【０００７】
図２に示される例では、アンテナの前後に強い放射特性があり、遠距離の通信に優れ、相手の方向にアンテナの指向性の向きをかえる必要がある。
【０００８】
また、図３では、中空導体折り返しＵ形アンテナにおいて、中空導体折り返しアンテナ（図２）を導体棒の一部をＵ形に折り曲げたアンテナである。
【０００９】
図３に示される例では、一方向に鋭い指向性特性があり、遠距離で一方向の相手に対して有利であり、相手の方向に正確にアンテナを向ける必要がある。
【００１０】
図４では、中空導体折り返し無指向性アンテナにおいて、中空導体折り返しアンテナ（図２）を垂直にして、上部の中空導体折り返しアンテナを１／４波長の放射器（ラジエタ−）として使用し、下部の中空導体折り返しアンテナを１／４波長の鏡像側放射器（ラジアル）として、３基設けた場合は３方向に、また、４基設けた場合は４方向に傘を開くような形にアンテナ基部に取り付ける。
【００１１】
図４に示される例では、東西南北の相手に対して、無指向性特性の効果を発揮し、近距離、遠距離の相手に対して有利なアンテナである。
【００１２】
図５では、中空導体折り返し八木アンテナにおいて、中央の中空導体折り返しアンテナを放射器として、右側に給電しない中空導体折り返しアンテナを１基または１基以上を導波器として設け、左側に給電しない中空導体折り返しアンテナを１基または１基以上の反射器を設けた。
【００１３】
図５に示される例では、一方向に鋭い利得最大のエンドファイアアレ−が右側の素子と左側の素子を給電しないで実現し、これを使用するきは、遠距離で一方向の相手に対して有利であり、相手の方向に正確にアンテナを向ける必要がある。
【００１４】
図７では、中空導体折り返し多周波アンテナにおいて、アンテナ基部に給電点と接続している外部端子（１０１）と導体棒と接続している外部端子（１０２）を設け、中空導体折り返しＵ形アンテナ（図３）を外部端子（１０１）に電気的に接続、（図３を水平、垂直にアンテナの角度を変えることを特徴とし、二つのアンテナを固定する場合は、中空導体折り返しＵ形アンテナ（図２）の外部端子の一部と（図３）の一部を絶縁体のパイプで上下のアンテナが接触しないように、ボルトとナット等で互いに固定している。
【００１５】
図７に示される例では、これを使用するきは、遠距離の通信は（図３）を水平にし一方向に鋭い指向性特性を優先し、垂直に角度を変えることで東西南北をカバ−できる無指向性特性となり、遠距離および、近距離の通信が可能である。
【００１６】
そして、本発明の実施例である図６では、導体棒（２）を中空導体（３）の中に挿入し、電気的接続部（４）に互いに固定し、構成したことを特徴とする中空導体折り返しアンテナにおいて、そのアンテナ基部に給電点（１）と接続している外部端子（１０１）と導体棒（２）と接続している外部端子（１０２）を設け、導体コイル（５）を外部端子（１０１）に電気的に接続し、導体棒（２）を外部端子（１０２）に電気的に接続をした。本発明は、以上のような中空導体折り返しヘリカルアンテナである。
【００１７】
図６に示される本発明の実施例では、これを使用するきは、アンテナの前後に指向性特性があり、導体コイル（５）を組み合わせることで、東西南北の受信能力が向上し、相手の方向に指向性の向きを正確に変えることができ、遠距離、近距離の通信が可能である。
【図面の簡単な説明】
【００１８】
【図１】中空導体折り返しアンテナの斜視図である。
【図２】中空導体折り返しアンテナの断面図である。
【図３】中空導体折り返しＵ型アンテナの断面図である。
【図４】中空導体折り返し無指向性アンテナの断面図である。
【図５】中空導体折り返し八木アンテナの断面図である。
【図６】本発明の中空導体折り返しヘリカルアンテナの断面図である。
【図７】中空導体折り返し２周波アンテナの断面図である。
【符号の説明】
【００１９】
１ 給電点
２ 導体棒
３ 中空導体
４ 電気的接続部
５ 導体コイル
６ 導体線
１０１ 給電点と接続している外部端子
１０２ 導体棒と接続している外部端子
【図１】
0004789273.tif 000002
【図２】
0004789273.tif 000003
【図３】
0004789273.tif 000004
【図４】
0004789273.tif 000005
【図５】
0004789273.tif 000006
【図６】
0004789273.tif 000007
【図７】
0004789273.tif 000008